(57)【要約】【課題】  本発明では、地図上の施設の目印において重なりが生じる場合に、当該施設所有者の意向を取り入れて地図上に施設の目印の表示を行うナビゲーション装置、ナビゲーションシステムを提供することを目的とする。【解決手段】  本発明に係るナビゲーション装置では、当該ナビゲーション装置が表示する地図上で施設を表す目印が重なり合う場合に、目印を表示する際の優先順位であって、当該優先順位を決めるための入札の結果に基づいた優先順位に関する情報を記憶した記憶装置を有するナビゲーション装置であって、当該優先順位に関する情報に基づき、施設を表す目印を地図上に強調して表示する目印強調表示手段を有することを特徴とする。【選択図】図２
2009236713.tif 000002
【特許請求の範囲】
【請求項１】
当該ナビゲーション装置が表示する地図上で施設を表す目印が重なり合う場合に、前記目印を表示する際の優先順位であって、
前記優先順位を決めるための入札の結果に基づいた前記優先順位に関する情報を記憶した記憶装置を有するナビゲーション装置であって、
前記優先順位に関する情報に基づき、前記施設を表す目印を、前記地図上に強調して表示する目印強調表示手段を有することを特徴とするナビゲーション装置。
【請求項２】
前記目印強調表示手段は、前記入札を行った者が希望する広告情報と共に、前記目印を表示することを特徴とする請求項１に記載のナビゲーション装置。
【請求項３】
前記目印強調表示手段は、前記入札を行った者が希望する前記目印を表示することを特徴とする請求項１又は２に記載のナビゲーション装置。
【請求項４】
請求項１乃至３のいずれか一に記載のナビゲーション装置と、前記優先順位を決めるための入札を行う入札手段を有する入札用サーバとを備えることを特徴とするナビゲーションシステム。
【発明の詳細な説明】
【技術分野】
【０００１】
本発明は、ナビゲーション装置による地図上の施設の目印において、重なりが発生した場合等にどれを優先的に表示するかを入札によって決定する仕組みに関する。
【背景技術】
【０００２】
従来、ナビゲーション装置において、地図上に重なったランドマークを優先度、個数又は重なり度合いに応じて表示する技術が公開されている（特許文献１）。
【０００３】
また、車両に乗車しているユーザに対する広告システムにおいて、ナビ画面上に、走行地周辺の広告情報を提示できる枠を設け、該枠に対して入札を行うシステムに関する技術が公開されている（特許文献２）。
【特許文献１】特開２００８−８８３９号公報
【特許文献２】特開２００２−１５６２３４号公報
【発明の開示】
【発明が解決しようとする課題】
【０００４】
しかしながら、上記技術において、地図上の施設の目印において重なりが生じた場合の取り扱いについては、当該地図の制作者側の意向が反映され、重なりが生じる施設の所有者の意見が反映されていないという問題点があった。
【０００５】
そこで、本発明では、上記問題点に鑑み、地図上の施設の目印において重なりが生じる場合に、当該施設所有者の意向を取り入れて地図上に施設の目印の表示を行うナビゲーション装置、ナビゲーションシステムを提供することを目的とする。
【課題を解決するための手段】
【０００６】
本発明に係るナビゲーション装置では、当該ナビゲーション装置が表示する地図上で施設を表す目印が重なり合う場合に、目印を表示する際の優先順位であって、当該優先順位を決めるための入札の結果に基づいた優先順位に関する情報を記憶した記憶装置を有するナビゲーション装置であって、当該優先順位に関する情報に基づき、施設を表す目印を地図上に強調して表示する目印強調表示手段を有することを特徴とする。
【０００７】
また、本発明に係るナビゲーション装置の一形態では、目印強調表示手段は、入札を行った者が希望する広告情報と共に、目印を表示することを特徴とする。
【０００８】
また、本発明に係るナビゲーション装置の一形態では、目印強調表示手段は、入札を行った者が希望する目印を表示することを特徴とする。
【０００９】
本発明に係るナビゲーションシステムでは、上記のナビゲーション装置と、優先順位を決めるための入札を行う入札手段を有する入札用サーバを備えることを特徴とする。
を特徴とする。
【００１０】
従って、本発明では、地図上の施設の目印において重なりが生じる場合に、当該施設所有者の意向を取り入れて地図上に施設の目印の表示を行うナビゲーション装置、ナビゲーションシステムを提供することができる。
【発明の効果】
【００１１】
本発明では、地図上の施設の目印において重なりが生じる場合に、当該施設所有者の意向を取り入れて地図上に施設の目印の表示を行うナビゲーション装置、ナビゲーションシステムを提供することができる。
【発明を実施するための最良の形態】
【００１２】
図面を参照しながら、本発明を実施するための最良の形態について説明する。
【００１３】
（本実施の形態に係るナビゲーションシステムの動作原理）
図１、２を用いて、本実施の形態に係るナビゲーションシステムの動作原理について説明する。図１は、本実施の形態に係るナビゲーションシステム１の概要を説明するための図である。
【００１４】
ナビゲーションシステム１は、ナビゲーション装置１００と入札用サーバ２００とを有する。ナビゲーション装置１００は、車両３００に搭載され、車両３００の運転者を目的地まで経路誘導するための装置である。また、入札用サーバ２００は、後述するように、ナビゲーション装置１００で表示する地図上において複数の施設の目印（施設を表示する目印）が重なった場合に、どの施設の目印を優先的に表示させるかを決定するための入札を行うサーバである。
【００１５】
また、ナビゲーション装置１００と入札用サーバ２００とは、無線通信ネットワークを介して接続されており、上記入札によって決定された情報の送受信を行う。
【００１６】
他方、ナビゲーション装置１００と入札用サーバ２００とは、有線通信ネットワークを介して接続され、上記入札によって決定された情報の送受信を行う形態としても良い。また、上記入札によって決定された情報の送受信は、ＳＤカード、ＵＳＢ（Ｕｎｉｖｅｒｓａｌ  Ｓｅｒｉａｌ  Ｂｕｓ）メモリ等の記録媒体を介して行う形態としても良い。
【００１７】
そして、入札用サーバ２００は、Ｗｅｂサーバ機能を有しており、インターネットを介して、多数の端末５００から上記入札に関する入札条件の受付を行う。
【００１８】
図２は、本実施の形態に係るナビゲーションシステム１を構成するナビゲーション装置１００と入札用サーバ２００との動作原理を説明する図である。
【００１９】
入札用サーバ２００は、入札手段２１０と優先順位情報生成手段２２０とを有する。
【００２０】
入札手段２１０は、どの施設の目印を優先的に表示させるかについての優先順位を決めるための入札を行う。ここで、上記の優先順位は、ナビゲーション装置１００が目的地までの経路誘導を行う際の地図上で施設の目印が重なった場合に、どの施設の目印を優先的に表示させるかに関する順位である。
【００２１】
入札手段２１０は、上記のように地図上で施設の目印が重なった場合の表示の優先順位に関して、初期値データ（優先順位情報）をインターネット上で公開する。つまり、入札手段２１０は、施設所有者が有する端末５００から入札用サーバ２００にアクセスすれば、当該優先順位情報を閲覧することができるような状態にする。
【００２２】
また、上記優先順位情報は、地図の縮尺によって生じる施設の目印の重なりについても考慮がされている。
【００２３】
ここで図３に、Ａ市Ｂ町Ｃ丁目Ｄ番地付近の優先順位情報（初期値）の例を示す。例えば、入札手段２１０は、図３に示すような特定の住所における優先順位情報をインターネット上で公開する。図３における優先順位は高い方からＥ商店、Ｆストア、Ｇマート、Ｈ塾の順となっている。また、施設の目印は全て初期値の目印を表示するよう設定されている（強調表示、付加情報表示、オリジナルアイコンが全て無しの状態となっている）。
【００２４】
入札手段２１０は、上記優先順位を決めるための入札において、上記施設所有者等から入札条件を受け付ける。ここで、入札条件とは、例えば、図３に示すように、希望入札金額、施設の目印を強調表示とするか否か、施設の目印と共に付加情報（広告情報等）を表示させるか否か、施設の目印を入札者が希望する表示形態（オリジナルアイコン等）とするか否かに関する情報である。
【００２５】
入札手段２１０は、上記の入札条件に応じた入金を確認する処理を含む形態としても良い。また、入札手段２１０は、上記入金の確認をした後に、上記入札条件を正式に受け付ける形態としても良い。
【００２６】
また、上記の入札条件に応じた入金を確認する処理は、入札手段２１０に代えて、独立した入金確認システム（不図示）を用いる形態としても良い。
【００２７】
優先順位情報生成手段２２０は、入札手段２１０により受け付けられた入札条件に基づき、地図上でどの施設の目印を優先的に表示させるかについての優先順位に関する情報（優先順位情報４５２）を生成する。
【００２８】
ここで、図４は、Ａ市Ｂ町Ｃ丁目Ｄ番地付近における優先順位情報４５２の例を示す。優先順位情報生成手段２２０は、例えば、図４に示すような形態で優先順位情報４５２を生成する。図４では、入札条件（入札額）に応じて優先順位が設定され、また、入札者の希望と入札額に応じて、強調表示の有無（施設の目印を強調表示とするか否か）、付加情報表示の有無（施設の目印と共に付加情報（広告情報等）を表示させるか否か）、オリジナルアイコン表示の有無（施設の目印を入札者が希望する表示形態（オリジナルアイコン等）とするか否か）が設定されている。
【００２９】
優先順位情報生成手段２２０は、無線通信ネットワークを介して、上記のように生成した優先順位情報４５２をナビゲーション装置１００に通知する。
【００３０】
一方、ナビゲーション装置１００は、優先順位情報受信手段１１０、経路案内手段１２０、記憶装置４５０、表示装置４８０を有する。
【００３１】
記憶装置４５０は、優先順位情報４５２の他に、ナビゲーション装置１００における経路誘導で使用する地図情報４５４を記憶する。
【００３２】
優先順位情報受信手段１１０は、優先順情報生成手段２２０により通知された優先順位情報４５２を受信する。そして、優先順位情報受信手段１１０は、受信した優先順位情報４５２を記憶装置４５０に記憶する。
【００３３】
経路案内手段１２０は、車両３００周辺の地図情報４５４を表示装置４８０に表示して、現在地から目的地までの経路を誘導する。例えば、経路案内手段１２０は、表示装置４８０に表示した地図情報４５４に車両３００の現在位置を重ねて表示し、当該車両３００の位置を表示装置４８０の中心に据え、地図を上下左右にスクロールさせることで、目的地までの経路誘導を行う。
【００３４】
また、経路案内手段１２０は、目印強調表示手段１２０を有する。
【００３５】
目印強調表示手段１２０は、優先順位情報４５２に基づいて、地図上に施設の目印の表示を行う。また、目印強調表示手段１２０は、優先順位情報４５２に基づいて、地図上に施設の目印を強調して表示したり、当該施設の目印と共に広告情報等の付加情報を表示したり、規定の施設の目印に代えて又は加えて施設の独自の目印（同業者より目立つオリジナルアイコン等）を表示する。
【００３６】
施設の目印を強調して表示するとは、目印を太字で表示したり、目印を色により強調表示したり、目印に枠を付けて強調表示することを含む。
【００３７】
ここで、図５は、目印強調表示手段１２０の処理の一例を示す図である。図５では、Ａ市Ｂ町Ｃ丁目Ｄ番地の交差点付近にある施設に関する目印を示している。図５における施設の目印の表示は、図４に示される優先順位情報４５２に基づいている。
【００３８】
例えば、図５で目印強調表示手段１２０は、図４で示される優先順位情報４５２に基づき、強調表示「Ｇマート」「Ｆストア」、広告情報「○月○日新規オープン」、施設の独自の目印「☆」を地図上の所定の位置に表示する。また、図５では、優先順位の低い「Ｈ塾」の施設の目印は表示が省略されている。
【００３９】
目印強調表示手段１２０により施設の目印を強調表示したり、施設の目印を当該施設所有者が希望する目印に変更して表示したりすることによって、当該施設は他の施設と差別化を図ることができるという施設所有者側のメリットがあり、当該メリットにより入札条件を良くすることができる。
【００４０】
他方、目印強調表示手段１２０により施設の目印と共に広告情報を表示させることによって、上記効果に加え、地図情報に最新の施設情報を反映させることができるという効果がある。
【００４１】
上記説明の中で、施設を表す目印が重なり合う場合の表示優先順位を決めるための入札には、予め定めた所定の施設について当該入札の対象としないとする形態であっても良い。所定の施設とは、例えば、重要な公共施設など経路案内を行う地図上へ表示することが欠かせない施設である。
【００４２】
以下では、ナビゲーションシステム１の処理の流れを説明する。
【００４３】
はじめに、入札手段２１０が、図３に示すような優先順位情報４５２の初期値を、インターネットを介して公開する（アクセス可能な状態にする）。
【００４４】
そして、入札手段２１０が、優先順位情報４５２の優先順位について、施設所有者等を対象とした入札を行う。これに伴い、入札手段２１０が、施設所有者等からの入札条件を受け付ける。
【００４５】
次に、優先順位情報生成手段２２０が、上記入札条件に基づき、図４に示すような優先順位情報４５２を生成して、ナビゲーション装置１００に無線通信ネットワークを介して通知する。
【００４６】
一方、優先順位情報受信手段１１０が、優先順位情報生成手段２２０により通知された優先順位情報４５２を受信し、記憶装置４５０に記憶する。
【００４７】
そして、経路案内手段１２０が、車両３００周辺の地図情報４５４を表示装置４８０に表示して、現在位置から目的地までの経路誘導を行う。
【００４８】
さらに、経路案内手段１２０による経路誘導に関する処理と平行して、目印強調表示手段１３０が、優先順位情報４５２に基づいて、表示装置４８０に表示される地図上に施設の目印を表示する。例えば、目印強調表示手段１２０は、図５に示すように、優先順位の高い施設に関する施設の目印「Ｇマート」「Ｆストア」を強調して表示したり、「○月○日新規オープン」のように広告情報を目印に付加して表示したり、「☆」のようにオリジナルアイコンを目印として表示したりする。
【００４９】
上記のような処理によって、地図上の施設の目印において重なりが生じる場合に、当該施設所有者の意向を取り入れて地図上に施設の目印の表示を行うナビゲーション装置、ナビゲーションシステムを提供することができる。
【００５０】
また、上記のような入札で得られた収益をナビゲーション装置や地図ディスクなどの販売価格の低減と拡販促進に利用することができる。そうすれば、拡販推進による宣伝効果の上昇と、さらには宣伝効果の上昇に伴う入札額の上昇も期待することができる。また、入札額が上昇すれば、更なる販売価格の低減を見込むことができる。
【００５１】
一方で、入札に伴って施設所有者から得られる情報により、新規店舗オープンや店舗名変更など最新の施設情報を地図データに反映させることができる。
【００５２】
（本実施の形態に係るナビゲーション装置のハードウェア構成）
図６を用いて、本実施の形態に係るナビゲーション装置のハードウェア構成について説明する。図６は、本実施の形態に係るナビゲーション装置１００のハードウェア構成の一例を示す図である。
【００５３】
ナビゲーション装置１００は、ＣＰＵ（Ｃｅｎｔｒａｌ  Ｐｒｏｃｅｓｓｉｎｇ  Ｕｎｉｔ）４１０、ＲＯＭ（Ｒｅａｄ−Ｏｎｌｙ  Ｍｅｍｏｒｙ）４２０、ＲＡＭ（Ｒａｍｄｏｍ  Ａｃｃｅｓｓ  Ｍｅｍｏｒｙ）４３０、フラッシュメモリ４４０、ＨＤＤ（Ｈａｒｄ  Ｄｉｓｃ  Ｄｒｉｖｅ）４５０、位置測定装置４６０、通信Ｉ／Ｆ４７０、表示装置４８０を有する。
【００５４】
ＣＰＵ４１０は、ＲＯＭ４２０に記憶されたプログラムを実行する装置で、ＲＡＭ４３０に展開（ロード）されたデータを、プログラムの命令に従って演算処理し、ナビゲーション装置１００の全体を制御する。
【００５５】
ＲＯＭ４２０は、ＣＰＵ４１０が実行するプログラムやデータを記憶している。
【００５６】
ＲＡＭ４３０は、ＣＰＵ４１０でＲＯＭ４２０に記憶されたプログラムを実行する際に、実行するプログラムやデータが展開（ロード）され、演算の間、演算データを一時的に保持する。
【００５７】
フラッシュメモリ４４０は、電源を切ってもデータが消えず保存される半導体メモリのことであり、ナビゲーション装置１００のセットアップ情報等が保存されている。
【００５８】
ＨＤＤ４５０は、基本ソフトウェアであるＯＳ（Ｏｐｅｒａｔｉｎｇ  Ｓｙｓｔｅｍ）、本実施の形態に係るアプリケーションプログラムや機能拡張用のプラグインなどを、関連するデータとともに記憶する装置である。
【００５９】
本実施の形態でＨＤＤ４５０には、優先順位情報４５２、目的地までの経路誘導に利用する地図情報４５４が記憶されている。
【００６０】
位置測定装置４６０は、車両の現在位置を測定する装置であり、移動距離を検出する車速センサ、移動方位を検出する角速度センサ、ＧＰＳ（Ｇｌｏｂａｌ  Ｐｏｓｉｔｉｏｎｉｎｇ  Ｓｙｓｔｅｍ）レシーバ、位置計算用ＣＰＵ等で構成されている。
【００６１】
通信Ｉ／Ｆ４７０は、通信ネットワークを介して接続された他の通信制御機能を備えた周辺機器と情報（データ）のやり取りをするインタフェースである。本実施の形態では、無線通信ネットワーク通じて、入札用サーバ２００と優先順位情報４５２の送受信を行う。
【００６２】
表示装置４８０は、ハードキーによるキースイッチとＬＣＤ（Ｌｉｑｕｉｄ  Ｃｒｙｓｔａｌ  Ｄｉｓｐｌａｙ）とから構成され、ナビゲーション装置１００が有する機能をユーザが利用する際や、各種設定を行う際などのユーザインタフェースとして機能する装置である。本実施の形態では、表示装置４８０には、経路誘導に用いられる地図等が表示される。
【００６３】
ナビゲーション装置１００の各手段は、ＣＰＵ４１０が、ＲＯＭ４２０又はＨＤＤ４５０に記憶された各手段に対応するプログラムを実行することにより実現される形態としても良いし、当該各手段に関する処理をハードウェアで実現する形態としても良い。
【００６４】
（本実施の形態に係る入札用サーバのハードウェア構成）
図７を用いて、本実施の形態に係る入札用サーバのハードウェア構成について説明する。図７は、本実施の形態に係る入札用サーバ２００のハードウェア構成の一例を示す図である。
【００６５】
入札用サーバ２００は、ＣＰＵ５１０、ＲＯＭ５２０、ＲＡＭ５３０、ＨＤＤ５４０、通信Ｉ／Ｆ５５０、表示装置５６０を有する。
【００６６】
ＣＰＵ５１０は、ＲＯＭ５２０に記憶されたプログラムを実行する装置で、ＲＡＭ５３０に展開（ロード）されたデータを、プログラムの命令に従って演算処理し、入札用サーバ２００の全体を制御する。
【００６７】
ＲＯＭ５２０は、ＣＰＵ５１０が実行するプログラムやデータを記憶している。
【００６８】
ＲＡＭ５３０は、ＣＰＵ５１０でＲＯＭ５２０に記憶されたプログラムを実行する際に、実行するプログラムやデータが展開（ロード）され、演算の間、演算データを一時的に保持する。
【００６９】
ＨＤＤ５４０は、基本ソフトウェアであるＯＳ、本実施の形態に係るアプリケーションプログラムや機能拡張用のプラグインなどを、関連するデータとともに記憶する装置である。本実施の形態でＨＤＤ５４０には、優先順位情報４５２が記憶されている。
【００７０】
通信Ｉ／Ｆ５５０は、通信ネットワークを介して接続された他の通信制御機能を備えた周辺機器と情報（データ）のやり取りをするインタフェースである。本実施の形態では、無線通信ネットワーク通じて、ナビゲーション装置１００と優先順位情報４５２の送受信を行う。
【００７１】
表示装置５６０は、ハードキーによるキースイッチとＬＣＤとから構成され、入札用サーバ２００が有する機能をユーザが利用する際や、各種設定を行う際などのユーザインタフェースとして機能する装置である。
【００７２】
入札用サーバ２００の各手段は、ＣＰＵ５１０が、ＲＯＭ５２０又はＨＤＤ５４０に記憶された各手段に対応するプログラムを実行することにより実現される形態としても良いし、当該各手段に関する処理をハードウェアで実現する形態としても良い。
【００７３】
（入札用サーバの動作処理）
図８を用いて、本実施の形態に係る入札用サーバの動作処理を説明する。図８は、本実施の形態に係る入札用サーバ２００の処理例を示すフローチャートである。
【００７４】
Ｓ１で入札用サーバ２００は処理を開始する。
【００７５】
Ｓ２で入札手段２１０が、図３に示すような優先順位情報４５２の初期値をインターネットで公開する。
【００７６】
そしてＳ２で入札手段２１０が、施設の目印表示の優先順位、施設の目印を強調表示させるか否か、施設の目印と共に広告情報を表示させるか否か、オリジナルアイコンで施設の目印を表示させるか否かについて、入札を行う。具体的は、入札手段２１０が、施設所有者等から入札条件を受け付け、入札条件に基づく入金を確認し、入札条件を優先順位情報４５２に反映させる。
【００７７】
Ｓ３で優先順位情報生成手段２２０が、上記の入札の結果に基づき、図４に示す優先順位情報４５２を生成する。地図上で施設の目印が重なった場合に優先的に表示させる順位は、図４で示すように、当該優先順位の高い方からＧマート、Ｆストア、Ｅ商店、Ｈ塾の順となっている。
【００７８】
Ｓ４で優先順位情報生成手段２２０が、ナビゲーション装置１００へ、通信Ｉ／Ｆ５５０を介して優先順位情報４５２を通知する。
【００７９】
Ｓ５で入札用サーバ２００における優先順位情報４５２を更新する時期が到来した場合（Ｓ５でＹｅｓの場合）、Ｓ２で入札手段２１０が、現在の優先順位情報４５２をインターネットで公開し、当該優先順位情報４５２の優先順位に関する入札を行う。
【００８０】
Ｓ５で入札用サーバ２００における優先順位情報４５２を更新する時期が到来しない場合（Ｓ５でＮｏの場合）、Ｓ６における処理に移行する。
【００８１】
Ｓ６で入札用サーバ２００が処理終了の命令を受信した場合（Ｓ６でＹｅｓの場合）、Ｓ７で入札用サーバ２００は処理を終了する。
【００８２】
Ｓ６で入札用サーバ２００が処理終了の命令を受信しない場合（Ｓ６でＮｏの場合）、Ｓ５で入札用サーバ２００は待機する。
【００８３】
（ナビゲーション装置の動作処理）
図９を用いて、本実施の形態に係るナビゲーション装置の動作処理を説明する。図９は、本実施の形態に係るナビゲーション装置１００の処理例を示すフローチャートである。
【００８４】
Ｓ１１でナビゲーション装置１００は処理を開始する。
【００８５】
Ｓ１２で優先順位情報受信手段１１０が、優先順位情報生成手段２２０により通知された図４に示すような優先順位情報４５２を受信し、ＨＤＤ４５０に記憶する。
【００８６】
Ｓ１３で経路案内手段１２０が、車両３００の運転者の要求に応じて、現在位置から目的地までの経路誘導を行う。このとき、経路案内手段１２０は、ＨＤＤ４５０に記憶した地図情報４５４から現在位置周辺の地図を選択して表示装置４８０に表示する。また、経路案内手段１２０は、位置測定装置４６０から現在位置に関する情報を取得し、上記経路誘導に利用する。
【００８７】
Ｓ１４で目印強調表示手段１３０が、経路案内手段１２０により表示装置に表示された地図上に、図４に示す優先順位情報４５２に基づいて、図５で示すように施設の目印を強調して表示する。
【００８８】
目印強調表示手段１２０により施設の目印を強調表示したり、施設の目印を当該施設所有者が希望する目印に変更して表示したりすることによって、当該施設は他の施設と差別化を図ることができるという施設所有者側のメリットがあり、当該メリットにより入札条件を良くすることができる。
【００８９】
他方、目印強調表示手段１２０により施設の目印と共に広告情報を表示させることによって、上記効果に加え、地図情報に最新の施設情報を反映させることができるという効果がある。
【００９０】
Ｓ１５でナビゲーション装置１００における優先順位情報４５２の更新時期が到来した場合（Ｓ１５でＹｅｓの場合）、Ｓ１２で優先順位情報受信手段１１０が、最新の優先順位情報４５２を入札用サーバ２００から受信し、ＨＤＤ４５０に記憶する。
【００９１】
Ｓ１５でナビゲーション装置１００における優先順位情報４５２の更新時期が到来しない場合（Ｓ１５でＮｏの場合）、Ｓ１６における処理に移行する。
【００９２】
Ｓ１６でナビゲーション装置１００が処理終了の命令を受信した場合（Ｓ１６でＹｅｓの場合）、Ｓ１７でナビゲーション装置１００は処理を終了する。
【００９３】
Ｓ１６でナビゲーション装置１００が処理終了の命令を受信しない場合（Ｓ１６でＮｏの場合）、Ｓ１３の処理に移行する。
【００９４】
（総括）
上記のような処理によって、地図上の施設の目印において重なりが生じる場合に、当該施設所有者の意向を取り入れて地図上に施設の目印の表示を行うナビゲーション装置、ナビゲーションシステムを提供することができる。
【００９５】
また、上記のような入札で得られた収益をナビゲーション装置や地図ディスクなどの販売価格の低減と拡販促進に利用することができる。そうすれば、拡販推進による宣伝効果の上昇と、さらには宣伝効果の上昇に伴い入札額の上昇も期待することができる。また、入札額が上昇すれば、更なる販売価格の低減を見込むことができる。
【００９６】
また、入札に伴って施設所有者から得られる情報により、新規店舗オープンや店舗名変更など最新施設情報を地図データに反映させることができる。
【００９７】
以上、本発明の実施の形態について詳述したが、本発明は係る特定の実施の形態に限定されるものではなく、特許請求の範囲に記載された本発明の要旨の範囲において、種々の変形・変更が可能である。
【図面の簡単な説明】
【００９８】
【図１】本実施の形態に係るナビゲーションシステムの概要を示した図である。
【図２】本実施の形態に係るナビゲーションシステムの動作原理を示した図である。
【図３】本実施の形態に係る入札前の優先順位情報の一例を示した図である。
【図４】本実施の形態に係る入札後の優先順位情報の一例を示した図である。
【図５】本実施の形態に係る目印強調表示手段の処理結果の一例を示した図である。
【図６】本実施の形態に係るナビゲーション装置のハードウェア構成の一例を示すである。
【図７】本実施の形態に係る入札用サーバのハードウェア構成の一例を示す図である。
【図８】本実施の形態に係る入札用サーバの処理例を示すフローチャートである。
【図９】本実施の形態に係るナビゲーション装置の処理例を示すフローチャートである。
【符号の説明】
【００９９】
１    ナビゲーションシステム
１００  ナビゲーション装置
１１０  優先順位情報受信手段
１２０  経路案内手段
１３０  目印強調表示手段
２００  入札用サーバ
２１０  入札手段
２２０  優先順位情報生成手段
３００  車両
４１０、５１０  ＣＰＵ
４２０、５２０  ＲＯＭ
４３０、５３０  ＲＡＭ
４４０  フラッシュメモリ
４５０、５４０  ＨＤＤ
４５２  優先順位情報
４５４  地図情報
４６０  位置測定装置
４７０、５５０  通信Ｉ／Ｆ
４８０、５６０  表示装置
５００  施設所有者等の端末
【図２】
2009236713.tif 000003
【図３】
2009236713.tif 000004
【図４】
2009236713.tif 000005
【図５】
2009236713.tif 000006
【図６】
2009236713.tif 000007
【図７】
2009236713.tif 000008
【図８】
2009236713.tif 000009
【図９】
2009236713.tif 000010
【図１】
2009236713.tif 000011